(57)【要約】【課題】金型費用を抑えつつ、高速回転の条件下でも使用することができる樹脂製保持器および転がり軸受を提供する。【解決手段】樹脂製保持器１は、軸方向に二分割されている円環状の一対の分割体１０を備え、これら分割体１０それぞれに、転動体６を保持するための半割ポケット面１３が形成されているポケット部１１と、相手側の分割体と接する連結面１４が形成され当該相手側の分割体１０と連結するための連結部１２と、が周方向に沿って交互に形成されている。互いに連結される一対の連結部１２のうちの一方側に、連結面１４から軸方向に突出して形成された凸部１５が形成されている。また、一対の連結部１２のうちの他方側に、連結面１４から軸方向に窪み、凸部１５が圧入嵌合されることで一対の連結部１２同士を連結して両分割体１０を一体化する凹部１６が形成されている。【選択図】図３
2016089929.tif 000002
【特許請求の範囲】
【請求項１】
軸方向に二分割されている円環状の一対の分割体を備え、これら分割体それぞれに、転動体を保持するための半割ポケット面が形成されているポケット部と、相手側の分割体と接する連結面が形成され当該相手側の分割体と連結するための連結部と、が周方向に沿って交互に形成されている樹脂製保持器であって、
互いに連結される一対の前記連結部のうちの一方側に、前記連結面から軸方向に突出して形成された凸部と、
前記一対の連結部のうちの他方側に、前記連結面から軸方向に窪んで形成され、前記凸部が圧入嵌合されることで前記一対の連結部同士を連結して前記両分割体を一体化する凹部と、
を備えていることを特徴とする樹脂製保持器。
【請求項２】
前記凸部は、その先側が二股状に分岐して形成された一対の分岐部を有し、
前記凹部内には、前記凸部の圧入嵌合により前記一対の分岐部の間に配置され、圧入嵌合された前記凸部が前記凹部から抜けにくくするためのくさび体が設けられている請求項１に記載の樹脂製保持器。
【請求項３】
前記凸部の一対の分岐部の分岐方向が、周方向および径方向のいずれか一方向である請求項２に記載の樹脂製保持器。
【請求項４】
前記一対の連結部それぞれに、前記凸部および前記凹部の両方が形成されている請求項１〜３のいずれか１項に記載の樹脂製保持器。
【請求項５】
前記連結部は、前記分割体の周方向に偶数個形成されており、
前記偶数個の連結部には、前記凸部および前記凹部が一つずつ交互に形成されている請求項１〜３のいずれか１項に記載の樹脂製保持器。
【請求項６】
内輪と、外輪と、前記内外輪の間に転動可能に配置された複数の転動体と、請求項１〜５のいずれか１項に記載の樹脂製保持器とを備えていることを特徴とする転がり軸受。
【発明の詳細な説明】
【技術分野】
【０００１】
本発明は、樹脂製保持器および転がり軸受に関する。
【背景技術】
【０００２】
転がり軸受の転動体である玉を保持する樹脂製保持器として、いわゆる片抱きタイプの保持器が知られている。片抱きタイプの保持器は、玉を保持するためのポケットが周方向に等間隔で複数形成されており、各ポケットは玉を取り付けるために軸方向一方側に開口した形状となっている。
片抱きタイプの保持器はこのような構成であることから、この保持器を備えた転がり軸受が高速で回転すると、遠心力によって、保持器の軸方向一方側、つまりポケットの開口側が開くように変形することで、保持器と玉とが干渉して、転がり軸受の回転トルクが悪化したり、転がり軸受が焼き付いたりするおそれがある。
【０００３】
そこで、高速回転の条件下でも使用可能となる樹脂製保持器が開発されている（例えば、特許文献１参照）。この樹脂製保持器は、いわゆる両抱きタイプの保持器であって、軸方向に二分割された円環状の分割体から成り、これら分割体を連結することにより保持器を完成体としている。
両分割体は同一形状からなり、各分割体には、半割ポケット面が形成されているポケット部と、相手方の分割体と連結させるための連結部とが周方向に沿って交互に複数形成されている。各分割体の連結部には、係合爪と係合溝とが周方向に隣接して形成されており、一方の分割体の係合爪が、他方の分割体の係合溝に係止するようになっている。これにより、両分割体の連結部同士を軸方向に分離不能に連結することができる。
【先行技術文献】
【特許文献】
【０００４】
【特許文献１】特許第４９４６８８１号公報
【発明の概要】
【発明が解決しようとする課題】
【０００５】
しかし、特許文献１に記載された樹脂製保持器にあっては、各分割体の複数の連結部に、複雑な形状の係合爪と係合溝を形成する必要がある。このため、この保持器を成形するための金型の構造も複雑となり、この金型を製作するための金型費用が高くなるという問題がある。
本発明はこのような事情に鑑みてなされたものであり、金型費用を抑えつつ、高速回転の条件下でも使用することができる樹脂製保持器および転がり軸受を提供することを目的とする。
【課題を解決するための手段】
【０００６】
本発明の樹脂製保持器は、軸方向に二分割されている円環状の一対の分割体を備え、これら分割体それぞれに、転動体を保持するための半割ポケット面が形成されているポケット部と、相手側の分割体と接する連結面が形成され当該相手側の分割体と連結するための連結部と、が周方向に沿って交互に形成されている樹脂製保持器であって、互いに連結される一対の前記連結部のうちの一方側に、前記連結面から軸方向に突出して形成された凸部と、前記一対の連結部のうちの他方側に、前記連結面から軸方向に窪んで形成され、前記凸部が圧入嵌合されることで前記一対の連結部同士を連結して前記両分割体を一体化する凹部と、を備えていることを特徴とする。
【０００７】
上記のように構成された樹脂製保持器によれば、互いに連結される一対の連結部のうちの一方の連結部に形成された凸部を、他方の連結部に形成された凹部に圧入嵌合させることによって、連結部同士が連結され、両分割体が一体化される。これにより、遠心力によって各分割体が変形するのを抑制することができるため、高速回転の条件下でも樹脂製保持器を使用することができる。
また、一対の連結部の連結構造は、凸部と凹部とによる簡単な構成であるため、従来のように連結部に係合爪と係合溝を設ける場合と比較して、樹脂製保持器を成形する金型の構造を簡単な構造にすることができる。その結果、金型を製作するための金型費用を抑えることができる。
【０００８】
上記樹脂製保持器において、前記凸部は、その先側が二股状に分岐して形成された一対の分岐部を有し、前記凹部内には、前記凸部の圧入嵌合により前記一対の分岐部の間に配置され、圧入嵌合された前記凸部が前記凹部から抜けにくくするためのくさび体が設けられているのが好ましい。
この場合、一方の連結部の凸部を他方の連結部の凹部に圧入嵌合させた状態で、凸部の二股状に形成された一対の分岐部の間にくさび体が配置されることで、凸部が凹部から抜けにくくなるため、一対の連結部同士を強固に連結することができる。
【０００９】
上記樹脂製保持器において、前記凸部の一対の分岐部の分岐方向が、周方向および径方向のいずれか一方向であるのが好ましい。この場合、凸部の一対の分岐部の分岐方向を、周方向および径方向のうちから一方向を選択することができるため、凸部や凹部の設計自由度を高めることができる。
【００１０】
上記樹脂製保持器において、前記一対の連結部それぞれに、前記凸部および前記凹部の両方が形成されているのが好ましい。この場合、一対の連結部のうちの一方の連結部に形成された凸部および凹部に、他方の連結部に形成された凹部および凸部がそれぞれ嵌合されるため、一対の連結部同士をさらに強固に連結することができる。
また、後述するように、各分割体の周方向に形成された複数の連結部に凸部および凹部が一つずつ交互に形成されている場合、両分割体同士を連結する際に、一方の分割体の連結部の凸部を他方の分割体の連結部の凹部に対向させるように周方向の位相を合わせる必要がある。これに対して、互いに連結される一対の連結部それぞれに凸部および凹部の両方が形成されている場合には、前記位相を合わせる必要がないため、両分割体を簡単に連結することができる。
【００１１】
上記樹脂製保持器において、前記連結部は、前記分割体の周方向に偶数個形成されており、前記偶数個の連結部には、前記凸部および前記凹部が一つずつ交互に形成されているのが好ましい。
この場合、複数の連結部に凸部および凹部が一つずつ交互に形成されている場合であっても、一方の分割体における連結部の凸部の個数が、他方の分割体における連結部の凹部の個数と同数になる。このため、一方の分割体の凸部を、他方の分割体の凹部に対向させるように周方向に位置合わせすることで、両分割体同士を連結することができる。したがって、一対の分割体同士を同じ形状にしつつ、連結部の構造を簡素化することができるため、保持器１を成形する金型の構造をさらに簡単な構造にすることができる。その結果、金型を製作するための金型費用をさらに抑えることができる。
【００１２】
本発明の転がり軸受は、内輪と、外輪と、前記内外輪の間に転動可能に配置された複数の転動体と、上記樹脂製保持器とを備えていることを特徴する。このように構成された転がり軸受によれば、上述した樹脂製保持器と同様の作用効果を奏する。
【発明の効果】
【００１３】
本発明の樹脂製保持器および転がり軸受によれば、金型費用を抑えつつ、高速回転の条件下でも使用することができる。
【図面の簡単な説明】
【００１４】
【図１】本発明の第一実施形態に係る樹脂製保持器を示す斜視図である。
【図２】上記樹脂製保持器が用いられている転がり軸受の断面図である。
【図３】上記樹脂製保持器の両分割体を分離させた状態の一方の分割体を示す斜視図である。
【図４】上記両分割体を分離させた状態を示す断面図である。
【図５】上記両分割体を連結させた状態を示す断面図である。
【図６】上記分割体の変形例を示す斜視図である。
【図７】本発明の第二実施形態に係る樹脂製保持器の両分割体を分離させた状態を示す断面図である。
【図８】図７の両分割体を分離させた状態を示す断面図である。
【図９】本発明の第三実施形態に係る樹脂製保持器の分割体を示す斜視図である。
【発明を実施するための形態】
【００１５】
次に、本発明の好ましい実施形態について添付図面を参照しながら説明する。
図１は、本発明の第一実施形態に係る樹脂製保持器１を示す斜視図である。図２は、この樹脂製保持器１（以下、単に保持器１ともいう）が用いられている転がり軸受の断面図である。図２において、この転がり軸受は、内周面に軌道面３が形成されている外輪２と、外周面に軌道面５が形成されている内輪４と、これら軌道面３，５間に設けられている複数の玉（転動体）６と、これら玉６を転動自在に保持する保持器１とを備えている。
【００１６】
保持器１は、軸方向に二分割されており、円環状である一対の分割体１０を備えている。これらの分割体１０を軸方向に組み合わせることで一つの保持器１が構成される。
図１において、この保持器１には、周方向等間隔でポケット７が複数形成されている。ポケット７は、玉６（図２参照）の直径よりも僅かに大きな直径を有する球の表面に沿った凹状の部分球形状を有している。そして、このポケット７に玉６が保持され、玉６は回転自在となる。
【００１７】
分割体１０は、樹脂製（合成樹脂製）であり、特にポリアミド樹脂などの軟質樹脂製であるのが好ましい。分割体１０を軟質樹脂製とした場合、後述する凸部１５が凹部１６に圧入嵌合されたときに変形しても折れにくくなり、両分割体１０同士を連結するときに、各分割体１０が変形して破損するのを防止することができる。
【００１８】
図３は、両分割体１０を分離させた状態の一方の分割体１０を示す斜視図である。
本実施形態では、両分割体１０は同じ形状とされている。分割体１０は、ポケット部１１と連結部１２とを周方向に沿って交互に備えている。ポケット部１１は、ポケット７（図１参照）を構成するための半割ポケット面１３が形成されている部分である。連結部１２は、相手側の分割体１０（連結部１２）と連結させるための部分である。
【００１９】
連結部１２には、軸方向に向く面である連結面１４が形成されており、この連結面１４が、相手側の分割体１０の連結面１４と接するようになっている（図１参照）。これにより、ポケット部１１と連結部１２とが周方向に沿って交互に複数（図例では８個ずつ）形成されている。なお、本実施形態のポケット部１１と連結部１２の個数は奇数個であっても良い。
【００２０】
図４は、両分割体１０を分離させた状態を示す断面図である。図３および図４において、分割体１０の各連結部１２には、連結面１４から軸方向に突出している凸部１５と、連結面１４から軸方向に窪む凹部１６とが、互いに周方向に隙間なく形成されている。凸部１５および凹部１６は、径方向（図４の紙面垂直方向）に向かって断面形状が一定であり、かつ周方向に突出したり窪んだりする部分が存在しない形状とされている。なお、凸部１５および凹部１６は、互いに周方向に隙間をあけて形成されていても良い。
【００２１】
凸部１５は、その先側が二股状に分岐して形成された一対の分岐部１５ａを有している。本実施形態では、一対の分岐部１５ａは、分割体１０の周方向に分岐されており、互いに対向する内面１５ａ１同士は、周方向に所定の間隔Ｄ１をおいて形成されている。両分岐部１５ａの基端部同士の間には、断面半円弧形状の股部１５ｂが形成されている。
【００２２】
図４において、一方の分割体１０の連結部１２に形成された凹部１６は、他方の分割体１０の連結部１２に形成された凸部１５が所定の締め代をもって圧入嵌合されることで、これらの連結部１２同士を連結して両分割体１０を一体化するものである。
凹部１６は、分割体１０を軸方向に貫通して形成されており、周方向に対向して配置された一対の内側面１６ａを有している。本実施形態では、両内側面１６ａは、連結面１４から軸方向反対側の外端面１７に向かうに従って、両内側面１６ａ同士の間隔が徐々に狭くなるように傾斜して形成されている。
【００２３】
分割体１０の軸線と平行な仮想線Ｘに対する各内側面１６ａの傾斜角度θは、５°以下に設定されるのが好ましい。傾斜角度θが５°を上回ると、凸部１５の分岐部１５ａが凹部１６に圧入嵌合されたときの変形量が大きくなり過ぎて保持器１が破損する可能性が高まるためである。
【００２４】
凹部１６内には、凸部１５の圧入嵌合により、凸部１５の一対の分岐部１５ａの間に配置されるくさび体１８が設けられている（図５参照）。くさび体１８は、凹部１６内の周方向中央部において、径方向（図４の紙面垂直方向）に延びて形成されており、その長手方向両端部は、凹部１６の径方向に対向して配置された内側面１６ｂに固定されている。これにより、くさび体１８は、径方向に向かって断面形状が一定であり、かつ周方向に突出したり窪んだりする部分が存在しない形状とされている。
【００２５】
本実施形態におけるくさび体１８は、凹部１６の各内側面１６ａとそれぞれ略平行に配置されるように傾斜して形成された一対の外側面１８ａを有している。なお、くさび体１８の外側面１８ａは、これと対向する凹部１６の内側面１６ａとの間隔ｔ２が、連結面１４側から外端面１７側に向けて徐々に狭くなるように傾斜して形成されていても良い。
【００２６】
くさび体１８の外側面１８ａにおける軸方向の長さＬ２は、凸部１５の分岐部１５ａにおける軸方向の長さをＬ１に対して、Ｌ１＞Ｌ２の関係を満たすように設定されている。また、くさび体１８の外側面１８ａと、これに対向する凹部１６の内側面１６ａとの間の間隔ｔ２は、凸部１５の分岐部１５ａの周方向の厚みｔ１に対して、ｔ１≦ｔ２の関係を満たすように設定されている。さらに、くさび体１８の連結面１４側の端面における周方向の長さＤ２は、凸部１５の一対の分岐部１５ａ同士の間隔Ｄ１に対して、Ｄ１≧Ｄ２の関係を満たすように設定されている。
【００２７】
このような分割体１０の連結部１２によれば、図５に示すように、一対の分割体１０の連結面１４同士を軸方向に接近させることで、一方の分割体１０の凸部１５が他方の分割体１０の凹部１６に挿入される。その際、凸部１５の両分岐部１５ａ同士の間にくさび体１８が配置された状態で、両分岐部１５ａの外面１５ａ２が、凹部１６の傾斜した内側面１６ｂに沿って挿入される。このため、凸部１５の両分岐部１５ａの外面１５ａ２が凹部１６の内側面１６ａに対して締め代をもって圧入嵌合されるとともに、両分岐部１５ａの間隔Ｄ１が先端に向かうに従って徐々に狭くなるように変形する。
【００２８】
そして、両分割体１０の連結面１４同士が接触した状態になると、凸部１５の両分岐部１５ａの先端が、くさび体１８よりも外端面１７側に突出すると共に、その先端同士の間隔ｄ１が、くさび体１８の外端面１７側の端面における周方向の長さＤ３よりも小さくなる。これにより、両分岐部１５ａの内面１５ａ１の先端側が、くさび体１８の外側面１８ａに当接することで、凹部１６に圧入嵌合された凸部１５は凹部１６から抜けにくくなる。
【００２９】
図６は、分割体１０の変形例を示す斜視図である。図６に示すように、本変形例では、凸部１５の一対の分岐部１５ａが、分割体１０の径方向に分岐されている。これに対応して、くさび体１８は、凹部１６内の径方向中央部において、周方向に延びて形成されている。
【００３０】
以上、本実施形態の樹脂製保持器１および転がり軸受によれば、一方の分割体１０の連結部１２に形成された凸部１５を、他方の分割体１０の連結部１２に形成された凹部１６に圧入嵌合させることで、連結部１２同士が連結され、両分割体１０が一体化される。これにより、各分割体１０が遠心力によって変形するのを抑制することができるため、高速回転の条件下でも樹脂製保持器１を使用することができる。
【００３１】
また、互いに連結される連結部１２同士の連結構造は、凸部１５と凹部１６とによる簡単な構成であるため、従来の保持器のように連結部に係合爪と係合溝を設ける場合と比較して、樹脂製保持器１を成形する金型を簡単な構造にすることができる。その結果、金型を製作するための金型費用を抑えることができる。
【００３２】
具体的には、図４に示すように、本実施形態の連結構造である凸部１５および凹部１６（くさび体１８含む）は、いずれも径方向（紙面垂直方向）に向かって断面形状が一定であって、かつ周方向に突出したり窪んだりする部分が存在しない。このため、本実施形態では、連結部分を一方向（軸方向）に移動する金型のみによって成形することができる。
これに対して、従来の連結構造である係合爪および係合溝は、一方向に移動する金型と、当該一方向に対して直交する他方向に移動する金型とを組み合わせて成形する必要がある。このため、従来の連結構造は、本実施形態のように一方向に移動する金型のみで成形する場合と比較して、金型費用が高くなる。
【００３３】
また、本実施形態では、一方の連結部１２の凸部１５を他方の連結部１２の凹部１６に圧入嵌合させた状態で、凸部１５の二股状に形成された一対の分岐部１５ａの間にくさび体１８が配置されることで、凸部１５が凹部１６から抜けにくくなるため、一対の連結部１２同士を強固に連結することができる。
また、凸部１５の一対の分岐部１５ａの分岐方向を、分割体１０の周方向および径方向のうちから一方向を選択することができるため、凸部１５や凹部１６の設計自由度を高めることができる。
【００３４】
また、互いに連結される一対の連結部１２それぞれに、凸部１５および凹部１６の両方が形成されているため、これら一対の連結部１２のうちの一方の連結部１２に形成された凸部１５および凹部１６に、他方の連結部１２に形成された凹部１６および凸部１５がそれぞれ嵌合される。これにより、一対の連結部１２同士をさらに強固に連結することができる。
【００３５】
また、後述する第三実施形態の分割体１０（図９参照）では、一対の分割体１０同士を連結する際に、一方の分割体１０の連結部１２に形成された凸部１５を、他方の分割体１０の連結部１２に形成された凹部１６に対向させるように周方向の位相を合わせる必要がある。これに対して、本実施形態では、互いに連結される一対の連結部１２それぞれに凸部１５および凹部１６の両方が形成されているため、前記位相を合わせる必要がない。したがって、両分割体１０を簡単に連結することができる。
【００３６】
図７は、本発明の第二実施形態に係る樹脂製保持器１の分割体１０を示す断面図である。図７において、本実施形態の分割体１０は、凹部１６およびくさび体１８の各形状が異なる点で、第一実施形態と異なる。
本実施形態の凹部１６には、周方向に対向して配置された一対の内側面１６ａが、連結面１４から軸方向反対側の外端面１７に向かうに従って、両内側面１６ａ同士の間隔が徐々に広くなるように傾斜して形成されている。くさび体１８は、凹部１６の各内側面１６ａとそれぞれ略平行に配置されるように傾斜して形成された一対の外側面１８ａを有している。
【００３７】
このような分割体１０の連結部１２によれば、図８に示すように、一対の分割体１０の連結面１４同士を軸方向に接近させることで、一方の分割体１０の凸部１５が他方の分割体１０の凹部１６に挿入される。その際、凸部１５の両分岐部１５ａ同士の間にくさび体１８が配置された状態で、両分岐部１５ａの内面１５ａ１が、くさび体１８の傾斜した外側面１８ａに沿って挿入される。このため、凸部１５の両分岐部１５ａは、その間隔Ｄ１が先端に向かうに従って徐々に広くなるように変形しながら凹部１６に挿入される。
【００３８】
これにより、凸部１５の両分岐部１５ａの外面１５ａ２は、凹部１６の内側面１６ｂに押し付けられるため、凹部１６の内側面１６ｂに対して締め代をもって圧入嵌合される。そして、両分割体１０の連結面１４同士が接触した状態になると、両分岐部１５ａの外面１５ａ２全体が、凹部１６の内側面１６ｂに押し付けられるため、凹部１６に圧入嵌合された凸部１５は凹部１６から抜けにくくなる。
なお、本実施形態のその他の構成は、第一実施形態と同様であるため、その説明を省略する。
【００３９】
図９は、本発明の第三実施形態に係る樹脂製保持器１の分割体１０を示す斜視図である。図９において、本実施形態の分割体１０は、連結部１２の凸部１５および凹部１６の形成位置が異なる点で、第一実施形態と異なる。
本実施形態の連結部１２は、分割体１０の周方向に偶数個（図例では８個）形成されている。そして、これら偶数個の連結部１２には、凸部１５および凸部１６が一つずつ交互に形成されている。なお、本実施形態のその他の構成は、第一実施形態と同様であるため、その説明を省略する。
【００４０】
本実施形態の樹脂製保持器１によれば、複数の連結部１２に凸部１５および凹部１６が一つずつ交互に形成されている場合であっても、一方の分割体１０における連結部１２の凸部１５の個数が、他方の分割体１０における連結部１２の凹部１６の個数と同数（図例では３個）になる。このため、一方の分割体１０の凸部１５を、他方の分割体１０の凹部１６に対向させるように周方向に位置合わせすることで、両分割体１０同士を連結することができる。したがって、一対の分割体１０同士を同じ形状にしつつ、連結部１２の構造を第一実施形態の連結部１２よりも簡素化することができるため、保持器１を成形する金型の構造をさらに簡単な構造にすることができる。その結果、金型を製作するための金型費用をさらに抑えることができる。
【００４１】
なお、今回開示した実施形態は例示であって制限的なものではない。本発明の権利範囲は特許請求の範囲によって示され、特許請求の範囲の構成と均等の範囲内での全ての変更が含まれる。例えば、第二および第三実施形態における凸部１５の一対の分岐部１５ａは、周方向に分岐されているが、第一実施形態の変形例（図６参照）のように、径方向に分岐されていても良い。この場合、第二および第三実施形態におけるくさび体１８は、凸部１５の分岐方向に対応して、凹部１６内において周方向に延びて形成される。
【符号の説明】
【００４２】
１：樹脂製保持器、２：外輪、３：内輪、６：玉（転動体）、１０：分割体、１１：ポケット部、１２：連結部、１３：半割ポケット面、１４：連結面、１５：凸部、１５ａ：分岐部、１６：凹部、１８：くさび体
【図１】
2016089929.tif 000003
【図２】
2016089929.tif 000004
【図３】
2016089929.tif 000005
【図４】
2016089929.tif 000006
【図５】
2016089929.tif 000007
【図６】
2016089929.tif 000008
【図７】
2016089929.tif 000009
【図８】
2016089929.tif 000010
【図９】
2016089929.tif 000011